(57)【要約】【課題】カメラにより撮像された来訪者等の画像を適切に外部機器上に表示可能な構成を備えたドアベルを提供する。【解決手段】ドアベル２は、本体部２００と、本体部２００に取り付けられ、居住者に対する来訪者からの呼出操作が可能な操作部２２と、本体部２００に取り付けられ、周囲の画像を撮像可能な少なくとも２つのカメラ２６Ｌ，２６Ｒと、操作部２２および少なくとも２つのカメラ２６Ｌ，２６Ｒと接続され、少なくとも２つのカメラ２６Ｌ，２６Ｒで撮像された画像を外部機器へ送信可能な制御部と、を備えている。少なくとも２つのカメラ２６Ｌ，２６Ｒを結ぶ仮想直線Ｌ１と直交する線Ｌ２上に、操作部２２の少なくとも一部が配置されている。【選択図】図２
2019140651.tif 000002
【特許請求の範囲】
【請求項１】
本体部と、
前記本体部に取り付けられ、居住者に対する来訪者からの呼出操作が可能な操作部と、
前記本体部に取り付けられ、周囲の画像を撮像可能な少なくとも２つのカメラと、
前記操作部および前記少なくとも２つのカメラと接続され、前記少なくとも２つのカメラで撮像された前記画像を外部機器へ送信可能な制御部と、を備え、
前記少なくとも２つのカメラを結ぶ仮想直線と直交する線上に、前記操作部の少なくとも一部が配置されている、ドアベル。
【請求項２】
前記少なくとも２つのカメラは、第一カメラと、第二カメラとを含み、
前記第一カメラは前記操作部の左側に配置され、前記第二カメラは前記操作部の右側に配置され、
前記第一カメラの撮像範囲と前記第二カメラの撮像範囲との少なくとも一部が重複するように構成されている、請求項１に記載のドアベル。
【請求項３】
前記本体部が上面視においてＬ字形状となるように構成されている、請求項１または２に記載のドアベル。
【請求項４】
前記外部機器は、前記居住者に関連付けられた情報端末、および前記ドアベルが設置された住宅の居室内に設けられた居室親機のいずれか１つを含む、請求項１から３のいずれか一項に記載のドアベル。
【発明の詳細な説明】
【技術分野】
【０００１】
本発明は、ドアベルに関する。
【背景技術】
【０００２】
スピーカと、マイクと、カメラと、操作部とを備え、遠隔配置されるコンピューティング・デバイスと無線通信可能なＷＩＦＩドアベルが知られている（特許文献１等参照）。
【先行技術文献】
【特許文献】
【０００３】
【特許文献１】米国特許第９０９４５８４号明細書
【特許文献２】米国特許第８８７２９１５号明細書
【特許文献３】米国特許第９２３７３１８号明細書
【特許文献４】米国特許第８１４４１８３号明細書
【特許文献５】米国特許第９４３２６３８号明細書
【特許文献６】米国特許第９４８５４７８号明細書
【特許文献７】米国特許第９５１６２８４号明細書
【発明の概要】
【発明が解決しようとする課題】
【０００４】
上記特許文献１のようなＷＩＦＩドアベルにおいては、例えば、カメラや他のセンサにより来訪者を検出すると、カメラを用いて来訪者の画像を記録し、記録された当該画像を遠隔配置されたコンピューティング・デバイス上に表示する。ドアベルのカメラで撮像された来訪者の画像を適切にコンピューティング・デバイス上に表示するために、ドアベルの構成には改善の余地がある。
【０００５】
そこで、本発明は、カメラにより撮像された来訪者等の画像を適切に外部機器上に表示可能な構成を備えたドアベルを提供することを目的とする。
【課題を解決するための手段】
【０００６】
上記目的を達成するために、本発明のドアベルは、
本体部と、
前記本体部に取り付けられ、居住者に対する来訪者からの呼出操作が可能な操作部と、
前記本体部に取り付けられ、周囲の画像を撮像可能な少なくとも２つのカメラと、
前記操作部および前記少なくとも２つのカメラと接続され、前記少なくとも２つのカメラで撮像された前記画像を外部機器へ送信可能な制御部と、を備え、
前記少なくとも２つのカメラを結ぶ仮想直線と直交する線上に、前記操作部の少なくとも一部が配置されている。
【０００７】
上記構成によれば、操作部の両側に配置された少なくとも２つのカメラにより、来訪者等の画像を広角で撮像することができる。そのため、来訪者の撮像画像を適切に外部機器に表示させることができる。これにより、外部機器のユーザは、来訪者が誰であるかを容易に把握することができる。また、広角で撮像された画像を解析することで、不審者等の検知能力を高めることができるとともに、誤検知を防止することができる。
【０００８】
また、上記ドアベルにおいて、
前記少なくとも２つのカメラは、第一カメラと、第二カメラとを含み、
前記第一カメラは前記操作部の左側に配置され、前記第二カメラは前記操作部の右側に配置され、
前記第一カメラの撮像範囲と前記第二カメラの撮像範囲との少なくとも一部が重複するように構成されていてもよい。
【０００９】
この構成によれば、撮像範囲を左右方向において広角とすることができる。また、来訪者が位置するであろう操作部の前方中央部において第一カメラの撮像範囲と第二カメラの撮像範囲が重複することになるため、来訪者の認識能力を高めることができる。
【００１０】
また、上記ドアベルにおいて、
前記本体部が上面視においてＬ字形状となるように構成されていてもよい。
【００１１】
この構成によれば、ドアベル周囲の広範囲を撮像する必要がある場所、例えば、玄関の壁や柱などの角部にドアベルを設置することができる。
【００１２】
また、前記外部機器は、前記居住者に関連付けられた情報端末、および前記ドアベルが設置された住宅の居室内に設けられた居室親機のいずれか１つを含んでもよい。
【００１３】
本発明のドアベルは、例えば、情報端末と無線通信可能なＷｉｆｉドアベルまたはインターホン回線を介して居室親機と通信可能なドアベルとして構成されることが好ましい。
【発明の効果】
【００１４】
本発明によれば、カメラにより撮像された来訪者等の画像を適切に外部機器上に表示可能な構成を備えたドアベルを提供することができる。
【図面の簡単な説明】
【００１５】
【図１】本発明の実施形態に係るドアベルシステムの構成を示す図である。
【図２】図１のドアベルシステムが備えるドアベルの構成を示す図である。
【図３】図２のドアベルの機能ブロック図である。
【図４】図１のドアベルシステムが備える情報端末の構成を示す図である。
【図５】図２のドアベルの撮像範囲を示す模式図である。
【発明を実施するための形態】
【００１６】
以下、本実施形態の一例に係るドアベルシステムについて、図面を参照して説明する。
図１は、本実施形態に係るドアベルシステムの構成を示す図である。
図１に示すように、ドアベルシステム１は、ドアベル２と、情報端末３（外部機器の一例）と、サーバ４とを含む。ドアベル２と情報端末３は、ネットワークＮを介して、外部ネットワーク上にあるサーバ４と通信可能である。ドアベル２および情報端末３とネットワークＮを中継する通信機器としては、例えば、Ｗｉ−Ｆｉルータが用いられ得る。
【００１７】
図２は、ドアベル２の構成を示す図であり、図３は、ドアベル２の機能ブロック図である。
ドアベル２は、来訪者が居住者を呼び出して通話するためなどに用いられるものであり、例えば建物（戸建住戸など）の玄関等に設置されている。ドアベル２は、取り付けられる建物の電力システムと所定の配線により電気的に接続されることで、当該電力システムから電力が供給される。なお、ドアベル２は、バックアップおよび／または一次電源用の電池を含んでも良い。
【００１８】
図２および図３に示すように、ドアベル２は、制御部２１と、操作部（呼出ボタン）２２と、マイク２３と、スピーカ２４と、人感センサ２５と、左カメラ２６Ｌ（第一カメラの一例）と、右カメラ２６Ｒ（第二カメラの一例）と、画像処理部２７と、位置情報取得部２８と、インターフェース回路（以下、インターフェース回路を「Ｉ／Ｆ」と称す）２９とを備えている。
【００１９】
制御部２１は、ドアベル２の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。プロセッサは、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）および／またはＴＰＵ（Ｔｅｎｓｏｒ  Ｐｒｏｃｅｓｓｉｎｇ  Ｕｎｉｔ）である。ＣＰＵは、複数のＣＰＵコアによって構成されてもよい。ＧＰＵは、複数のＧＰＵコアによって構成されてもよい。メモリは、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を含む。ＲＯＭには、ドアベル制御プログラムが記憶されてもよい。ＲＡＭには、ドアベル制御プログラムが一時的に記憶されてもよい。プロセッサは、記憶装置またはＲＯＭに記憶されたドアベル制御プログラムから指定されたプログラムをＲＡＭ上に展開し、ＲＡＭとの協働で各種処理を実行するように構成されてもよい。
また、制御部２１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍａｍｍａｂｌｅ  Ｇａｔｅ  Ａｒｒａｙ）等の集積回路（ハードウェア資源）によって構成されてもよい。さらに、制御部２１は、少なくとも一つのマイクロコントローラと集積回路との組み合わせによって構成されてもよい。
【００２０】
操作部２２は、来訪者の各種入力操作を受け付ける。各種入力操作には、例えば、居住者の呼出等が含まれる。マイク２３およびスピーカ２４は、居住者（本例では、ドアベル２が設置された建物の居住者が所有する情報端末３）に向けて来訪者側のメッセージ等の音声データを送出したり、来訪者に向けて居住者側のメッセージ等の音声データを出力するための通話部を構成する。
【００２１】
人感センサ２５は、ドアベル２の前方にいる人物を検知するためのセンサであり、例えば赤外線センサで構成されている。人感センサ２５は、制御部２１を介して、左カメラ２６Ｌおよび右カメラ２６Ｒにそれぞれ接続されている。人感センサ２５は、人物を検知したことを知らせる検出信号を、制御部２１を介して左カメラ２６Ｌおよび右カメラ２６Ｒへそれぞれ出力する。左カメラ２６Ｌおよび右カメラ２６Ｒは、来訪者等の人物を撮像するための撮像機器である。左カメラ２６Ｌおよび右カメラ２６Ｒは、ウェブカメラであるビデオカメラとして構成しても良い。なお、左カメラ２６Ｌおよび右カメラ２６Ｒの詳細な構成については後述する。例えば、左カメラ２６Ｌおよび右カメラ２６Ｒは、人感センサ２５から出力される検出信号に基づいてそれぞれ起動する。左カメラ２６Ｌおよび右カメラ２６Ｒが撮像した画像は、画像処理部２７へ出力される。画像処理部２７は、例えば、プロセッサとメモリから構成されており、制御部２１の制御信号に基づいて、左カメラ２６Ｌで撮像された画像と右カメラ２６Ｒで撮像された画像とを合成する。画像処理部２７は、制御部２１の制御信号に基づいて、合成された画像データをＩ／Ｆ２９を介して情報端末３（またはサーバ４）へ送信する。
【００２２】
位置情報取得部２８は、ドアベル２の位置情報を取得するように構成されている。位置情報は、例えば、ＧＰＳ（Ｇｌｏｂａｌ  Ｐｏｓｉｔｉｏｎｉｎｇ  Ｓｙｓｔｅｍ）を用いて取得される。なお、ドアベル２を建物に設置する際の初期設定時に、居住者によって、ドアベル２の位置情報が位置情報取得部２８に予め登録されてもよい。制御部２１は、位置情報取得部２８により取得された位置情報を、サーバ４へ送信するように構成されている。なお、ドアベル２の位置情報が更新された場合には、制御部２１は、更新された位置情報をサーバ４へ送信し得る。
【００２３】
Ｉ／Ｆ２９は、ネットワークＮを介して、サーバ４と通信可能である。具体的には、Ｉ／Ｆ２９は、無線ローカルエリアネットワーク（ＬＡＮ）、ラジオ、セルラー、インターネット、Ｂｌｕｅｔｏｏｔｈ、電磁波、赤外線光、音波、およびマイクロ波等のネットワーク通信手段により、サーバ４と通信可能である。このように、ドアベル２は、サーバ４に対して所定のデータ（例えば、音声データや画像データ）を送信し、来訪者と、情報端末３のユーザとの間での双方向音声通話等による通信を開始することができる。なお、ドアベル２のＩ／Ｆ２９は、情報端末３と直接通信可能に構成されてもよい。
【００２４】
図４は、情報端末３の構成を示す図である。
情報端末３は、ドアベル２からの呼び出しに、ドアベル２が設置された住居の居住者（ユーザ）が応答するためなどに用いられる機器である。情報端末３は、例えば、居住者が所有するスマートフォン、タブレットコンピュータ、およびその他の携帯情報端末を含む。ドアベル２と情報端末３とは、サーバ４を介して通信可能である。
【００２５】
情報端末３は、図４に示すように、所定のユーザ・インターフェース３２を表示可能な表示部３０を有している。表示部３０は、液晶ディスプレイ、有機ＥＬディスプレイ等のタッチスクリーン型のディスプレイであって、画像（操作画像等）を表示するように構成されている。情報端末３は、ドアベル２から送信されたデータに基づいて、所定のコンピュータソフトウェア（例えば、音声通話および画像表示用のアプリケーションソフトウェア）を実行する。例えば、情報端末３は、表示部３０上に表示されるユーザ・インターフェース３２への入力に基づいて所定のアプリケーションソフトウェアを実行することができる。ユーザ・インターフェース３２は、ドアベル２が備えるカメラ２６Ｌ，２６Ｒにより撮像された前方領域の画像データに基づいて、静止画または動画の表示画像が表示される画像表示部３４を含む。また、ユーザ・インターフェース３２は、来訪者の呼出に応答することをユーザに許可させるための応答許可受付部３６を含む。ユーザが、応答許可受付部３６をタッチすることで、来訪者の呼出に応答するために、双方向音声通信が開始される。また、ユーザ・インターフェース３２は、画像表示部３４に表示された表示画像の録画をユーザに選択させるための録画受付部３８を含む。ユーザが、当該録画受付部３８をタッチすることで、画像表示部３４に表示される表示画像の録画が可能である。
【００２６】
図２に示すように、サーバ４は、記憶部４０を備えており、ドアベル２から送信されたデータ（画像データや音声データ）を記憶部４０へ格納するとともに、当該データを情報端末３へ送信可能である。また、サーバ４は、情報端末３から送信されたデータを記憶部４０へ格納するとともに、当該データをドアベル２へ送信可能である。このように、サーバ４は、所定のデータ（例えば、音声データや画像データ）をドアベル２および情報端末３との間で送受信することにより、ドアベル２が設置された建物への来訪者と情報端末３のユーザとの間での双方向音声通話等による通信を開始することができる。なお、上述の通り、サーバ４を介さずに、ドアベル２と情報端末３との間でデータを直接送受信しても良い。
【００２７】
次に、ドアベル２の外観構成について図２および図５を参照して説明する。
図２に示すように、ドアベル２は、耐水性および／または防水性を備えたハウジング２００（本体部の一例）を備えている。ハウジング２００は、金属または樹脂から形成され、例えば、ニッケル、アルミニウムまたは成形プラスチックなどにより作製される。
【００２８】
ハウジング２００は、上面視において略Ｌ字形状となるように構成されている。これにより、例えば、ドアベル２の周囲の広範囲を撮像する必要がある場所、例えば、玄関の角部や柱などにドアベル２を取り付けることができる。
【００２９】
ハウジング２００の正面側は、第一面２００Ａと、第二面２００Ｂと、第三面２００Ｃとから構成されている。第一面２００Ａは、第二面２００Ｂと第三面２００Ｃとに挟まれた中央の面であって、その上下方向における中央部には操作部２２が取り付けられている。また、操作部２２の下部にはマイク２３が設けられている。第二面２００Ｂは、第一面２００Ａの左端と屈曲部２０１Ｌを介して連続する面であって、その上部には、左カメラ２６Ｌが取り付けられている。第三面２００Ｃは、第一面２００Ａの右端と屈曲部２０１Ｒを介して連続する面であって、その上部には、右カメラ２６Ｒが取り付けられている。
【００３０】
このように、左カメラ２６Ｌおよび右カメラ２６Ｒは、操作部２２の左右領域にそれぞれ配置されていることが好ましい。具体的には、左カメラ２６Ｌと右カメラ２６Ｒとを結ぶ仮想直線Ｌ１と直交する線Ｌ２上に、操作部２２の少なくとも一部が配置されていることが好ましい。
【００３１】
第二面２００Ｂにおいて、左カメラ２６Ｌの下部には、人感センサ２５が設けられており、さらにその下部には、スピーカ２４が設けられている。また、第三面２００Ｃにおいて、右カメラ２６Ｒの下部には、人感センサ２５が設けられており、さらにその下部には、スピーカ２４が設けられている。なお、マイク２３、スピーカ２４、および人感センサ２５の数および配置箇所は図２に示す構成に限られるものではない。例えば、本例では、人感センサ２５およびスピーカ２４はそれぞれ左右に２つ設けられているが、少なくとも１つの人感センサ２５および少なくとも１つのスピーカ２４が設けられていればよい。
【００３２】
図５は、ドアベル２の撮像範囲を示す模式図である。
図５に示すように、左カメラ２６Ｌおよび右カメラ２６Ｒは、例えば、○〜○度の撮像範囲ＲＬ，ＲＲをそれぞれ有しており、左カメラ２６Ｌの撮像範囲ＲＬと右カメラ２６Ｒの撮像範囲ＲＲとの一部が重複するように配置されている。このように、左カメラ２６Ｌおよび右カメラ２６Ｒを操作部２２の左右に配置することで、最大で２７０度程度の広角範囲でドアベル２の前方領域を撮像することができる。
【００３３】
次に、図１〜図５を参照して、ドアベルシステム１の動作について説明する。
来訪者によりドアベル２の操作部２２が押下される、あるいは人感センサ２５により来訪者を感知すると、ドアベル２の制御部２１は、Ｉ／Ｆ２９からネットワークを介して情報端末３に通信要求信号を送信する。また、操作部２２が押下される、あるいは人感センサ２５により来訪者を感知すると、制御部２１は、左右のカメラ２６Ｌ，２６Ｒによりドアベル２の前方領域（具体的には、来訪者）の撮像を開始する。次に、左カメラ２６Ｌで撮像された画像と右カメラ２６Ｒで撮像された画像は、画像処理部２７へ送信される。画像処理部２７は、左右のカメラ２６Ｌ，２６Ｒで撮像された画像を合成して、合成画像信号を生成する。この合成画像信号は、制御部２１の制御信号に基づいて、画像処理部２７からＩ／Ｆ２９を介して情報端末３（またはサーバ４）に送信される。
【００３４】
情報端末３は、受信した通信要求信号に基づいて、表示部３０に来訪者の呼出に応答するか（ドアベル２と情報端末３との間の通信を許可するか）否かを情報端末３のユーザが選択するためのユーザ・インターフェース３２を表示する処理を行う。具体的には、情報端末３は、受信した合成画像信号に基づいて、来訪者の撮像画像をユーザ・インターフェース３２内の画像表示部３４に表示する処理を行う。
【００３５】
次に、情報端末３は、ユーザ・インターフェース３２内の応答許可受付部３６がユーザによりタッチされたことに基づいて、ドアベル２へ通信許可信号を送信する。通信許可信号を受信したドアベル２は、情報端末３との間の通信を開始する。このように、ドアベル２と情報端末３との間の通信が開始されることで、来訪者とユーザとの間の双方向音声通信が可能となる。すなわち、来訪者は、ドアベル２のマイク２３およびスピーカ２４を用いて、情報端末３のユーザと通話をすることができる。
【００３６】
以上説明したように、本実施形態に係るドアベル２は、ハウジング２００と、ハウジング２００に取り付けられ、居住者に対する来訪者からの呼出操作が可能な操作部２２と、ハウジング２００に取り付けられ、ドアベル２の周囲の画像を撮像可能な左カメラ２６Ｌおよび右カメラ２６Ｒと、操作部２２、左カメラ２６Ｌおよび右カメラ２６Ｒとそれぞれ接続され、操作部２２による呼出操作に基づいて、画像を情報端末３へ送信可能な制御部２１と、を備えている。そして、左カメラ２６Ｌと右カメラ２６Ｒとを結ぶ仮想直線Ｌ１と直交する線Ｌ２上に、操作部２２の少なくとも一部が配置されている。この構成によれば、操作部２２を挟むように配置された左カメラ２６Ｌおよび右カメラ２６Ｒにより、来訪者等の画像を広角で撮像することができる。そのため、当該画像を適切に情報端末３に表示させることができる。これにより、情報端末３のユーザは、来訪者が誰であるかを容易に把握することができる。また、広角で撮像された画像を解析することで、不審者等の検知能力を高めることができるとともに、誤検知を防止することができる。
【００３７】
また、本実施形態に係るドアベル２においては、左カメラ２６Ｌの撮像範囲ＲＬと右カメラ２６Ｒの撮像範囲ＲＲとの少なくとも一部が重複するように構成されている。これにより、左カメラ２６Ｌで撮像された画像と右カメラ２６Ｒで撮像された画像とを合成することで、広角な撮像画像を取得することができる。また、来訪者が位置しているであろう操作部２２の前方中央部において左カメラ２６Ｌの撮像範囲ＲＬと右カメラ２６Ｒの撮像範囲ＲＲが重複するように構成されているため、来訪者の認識能力を高めることができる。
【００３８】
なお、上記の実施形態に係るドアベルシステム１においては、外部機器として、居住者に関連付けられた情報端末３を例示し、ドアベル２は、当該情報端末３と無線通信可能なＷｉｆｉドアベルとして構成されているが、この例に限られない。例えば、外部機器として、ドアベル２が設置された住宅の居室内に設けられた居室親機を含んでもよい。すなわち、ドアベル２は、例えば、またはインターホン回線を介して居室親機と通信可能なドアベルとして構成されてもよい。
【００３９】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００４０】
上記の実施形態においては、左カメラ２６Ｌと右カメラ２６Ｒとを結ぶ仮想直線Ｌ１の略中央部と直交する線Ｌ２上に操作部２２が配置されているが、この例に限られない。操作部２２は、左カメラ２６Ｌ寄り、あるいは右カメラ２６Ｒ寄りに配置されていてもよい。ただし、この場合にも、左カメラ２６Ｌおよび右カメラ２６Ｒによる来訪者の認識能力を維持するために、操作部２２の正面において左カメラ２６Ｌの撮像範囲ＲＬと右カメラ２６Ｒの撮像範囲ＲＲが重複するように構成されていることが望ましい。
【００４１】
また、上記の実施形態のドアベル２においては、操作部２２が設けられた第一面２００Ａと屈曲部２０１Ｌを介して連続する第二面２００Ｂに左カメラ２６Ｌが設けられ、第一面２００Ａと屈曲部２０１Ｒを介して連続する第三面２００Ｃに右カメラ２６Ｒが設けられているが、この例に限られない。ハウジング２００の正面側は左右方向において湾曲された単一の面からなり、当該単一の湾曲面において、左カメラ２６Ｌと右カメラ２６Ｒとの間に操作部２２が配置されるような構成としてもよい。この場合であっても、ドアベル２を柱や壁の角部に取り付け可能とするために、ハウジング２００の背面側の面は、上面視において略Ｌ字形状の形態を備えていることが好ましい。
【符号の説明】
【００４２】
１：ドアベルシステム、２：ドアベル、３：情報端末（外部機器の一例）、４：サーバ、２１：制御部、２２：操作部、２３：マイク、２４：スピーカ、２５：人感センサ、２６Ｌ：左カメラ（第一カメラの一例）、２６Ｒ：右カメラ（第二カメラの一例）、２７：画像処理部、２８：位置情報取得部、２９：インターフェース回路、３０：表示部、３２：ユーザ・インターフェース、３４：画像表示部、３６：応答許可受付部、３８：録画受付部、４０：記憶部、Ｎ：ネットワーク、２００：ハウジング、２００Ａ：第一面、２００Ｂ：第二面、２００Ｃ：第三面、２０１Ｌ，２０１Ｒ：屈曲部
【図１】
2019140651.tif 000003
【図２】
2019140651.tif 000004
【図３】
2019140651.tif 000005
【図４】
2019140651.tif 000006
【図５】
2019140651.tif 000007
【手続補正書】
【提出日】平成30年4月6日(2018.4.6)
【手続補正１】
【補正対象書類名】明細書
【補正対象項目名】００３２
【補正方法】変更
【補正の内容】
【００３２】
図５は、ドアベル２の撮像範囲を示す模式図である。
図５に示すように、左カメラ２６Ｌおよび右カメラ２６Ｒは、所定の撮像範囲ＲＬ，ＲＲをそれぞれ有しており、左カメラ２６Ｌの撮像範囲ＲＬと右カメラ２６Ｒの撮像範囲ＲＲとの一部が重複するように配置されている。このように、左カメラ２６Ｌおよび右カメラ２６Ｒを操作部２２の左右に配置することで、最大で２７０度程度の広角範囲でドアベル２の前方領域を撮像することができる。